(57)【特許請求の範囲】
【請求項１】
情報の授受を行なう様に成された携帯用電話装置に於いて、
受話器部と、
送話器部と、
情報の授受を行なう送受信手段を有する本体ケーシングと、
前記本体ケーシングの前記受話器部と前記送話器部間に摺動・反転可能に枢着された少なくとも操作部を有するカードケーシングと、
前記カードケーシングの上面がカバーと成され、下面に第１の操作部が形成されると共に該カードケーシングの摺動・反転時の前記本体ケーシングの対向面に第２の操作部が設けられて成ることを特徴とする携帯用電話装置。
【請求項２】
情報の授受を行なう様に成された携帯用電話装置に於いて、
受話器部と、
送話器部と、
情報の授受を行なう送受信手段を有する本体ケーシングと、
前記本体ケーシングの前記受話器部と前記送話器部間に摺動・反転可能に枢着された少なくとも操作部を有するカードケーシングと、
前記カードケーシングの上面が表示部と成され、下面に第１の操作部が形成されると共に該カードケーシングの摺動・反転時の前記本体ケーシングの対向面に第２の操作部が設けられて成ることを特徴とする携帯用電話装置。
【請求項３】
前記本体ケーシング及び前記カードケーシング内の少なくとも一方に電源を有し、該本体ケーシングと該カードケーシングの前記第１及び第２の操作部により無線或は有線でデータの授受を行なう様に成したことを特徴とする請求項１又は請求項２記載の携帯用電話装置。
【発明の詳細な説明】
【０００１】
【産業上の利用分野】
本発明は無線電話装置の送受話等に用いて好適な携帯電話装置に関する。
【０００２】
【従来の技術】
従来から無線電話装置、携帯用電話装置等のケーシングは携帯に便なる様に工夫が施された種々のものが提案されている。
【０００３】
図１２は従来の携帯用電話装置の非通話状態を示す構成図、図１３は通話状態を示す構成図である。
【０００４】
図１２及び図１３に於いて、携帯用電話機１は本体ケーシング２及びカード（サブ）ケーシング３より構成されている。
【０００５】
本体ケーシング２は略直方体状で図１３に示す様に下端は段部４が形成されて１段低くなされて、その前面にパネル５が形成され、該パネル５上にテンキー等の電話用の操作キー群６が並設されている。尚７はフックスイッチである。
【０００６】
又、本体ケーシング２の上側内部には受話器８を有し、本体ケーシング２に穿った透孔９を介して通話音が放音される。尚１０は電源キーであり、アンテナ１１は本体ケーシング２に挿入可能で通話時に図１３の様に引き出される。
【０００７】
本体ケーシング２の下端部にはヒンジ部１２で枢着されたカードケーシング３を有し、このカードケーシング３はヒンジ部１２を中心に図１２の様に本体ケーシング２のパネル５と対向する様に折り畳まれた状態では表面は単なるカバーとして機能するだけであるが送話器１３が内蔵されているので図１３の様にカードケーシング３はヒンジ部１２を中心に開いた状態ではカードケーシング３の送話器１３部分に穿った透孔１４を介して通話が行われる様に成されている。
【０００８】
【発明が解決しようとする課題】
上述の従来構成で説明した携帯電話装置によると、携帯時にはコンパクト化が可能で携帯に便なる構成とすることが出来るが通話時には図１３に示す様にカードケーシング３はヒンジ１２を介して開いた状態で使用するため安定性が悪く、破損し易く、或は外れたりする可能性があって使い勝手が悪い問題があった。
【０００９】
更に、通話時には本体ケーシング２とカードケーシング３がプラスされた面積となって大型化される問題があった。
【００１０】
本発明は叙上の問題点を解消した携帯用情報端末装置を提供するもので、その目的とするところは通話、或は通信等の使用状態では通話又は通信に必要な操作キーのみがカードケーシング上に配設されて使い勝手がよく、且つ通話通信時にもコンパクトで、カードケーシングがふら付く様な弊害が発生せずカードケーシング及び本体ケーシングの操作部とカードケーシングの表裏面を有効に利用可能な携帯用情報端末装置を得るにある。
【００１１】
【課題を解決するための手段】
第１の本発明の携帯用電話装置はその例が図１乃至図４に示されている様に、情報の授受を行なう様に成された携帯用電話装置に於いて、受話器部と、送話器部と、情報の授受を行なう送受信手段を有する本体ケーシングと、この本体ケーシングの受話器部と送話器部間に摺動・反転可能に枢着された少なくとも操作部を有するカードケーシングと、このカードケーシングの上面がカバーと成され、下面に第１の操作部が形成されると共に摺動・反転時に本体ケーシングの対向面に第２の操作部が設けられて成るものである。
第２の本発明の携帯電話装置はその例が図５及び図６に示されている様に、情報の授受を行なう様に成された携帯用電話装置に於いて、受話器部と、送話器部と、情報の授受を行なう送受信手段を有する本体ケーシングと、この本体ケーシングの受話器部と送話器部間に摺動・反転可能に枢着された少なくとも操作部を有するカードケーシングと、このカードケーシングの上面が表示部と成され、下面に第１の操作部が形成されると共に摺動・反転時に本体ケーシングの対向面に第２の操作部が設けられて成るものである。
【００１２】
【作用】
本発明の携帯用電話装置は本体ケーシングの同一平面上に配した送話器と受話器間に配設されているため通話時にもカードケーシングがふら付かず、使い勝手がよく、かつ、操作キー群を有するカードケーシングが本体ケーシングに対し摺動、反転自在と成されているためカードケーシングの表裏面を有効に利用可能で非使用時は通話用の操作キー群は保護され、使用時にはコンパクトで安定な状態で通話が可能なものが得られる。
【００１３】
【実施例】
以下、本発明の携帯用電話装置を携帯用電話機、或は携帯用無線機に適用した構成を図１乃至図１１によって詳記する。
【００１４】
本例の携帯無線電話機としてのケーシング構成を説明するに先だち、図１１によって電気的な構成の１例を説明する。尚、図１２及び図１３との対応部分には同一符号を付して示す。
【００１５】
図１１で携帯用電話装置１５としての携帯用電話機は図１２及び図１３と同様に本体ケーシング２及びカードケーシング３とより構成されている、これらの構成については後述する。
【００１６】
本体ケーシング２内にはアンテナ１１及びアンテナ共用器１６を介して受信した信号を受信部１７に供給し、この受信部１７で所定の伝送チャンネルの信号に受信処理し、処理された受信信号を変復調部１８に供給して、ベースバンド信号に復調処理する。そして、復調されたベースバンド信号を、ベースバンド処理部１９に供給する。
【００１７】
このベースバンド処理部１９では、受信信号から音声信号と制御データとを抽出するベースバンド処理を行い、抽出された音声信号を音声処理部２０に供給すると共に、制御データを制御部（以下ＣＰＵと記す）２１に供給する。
【００１８】
音声処理部２０は、音声信号処理を行う回路で、受信信号より抽出した音声信号はアンプ２２を介して受話器８に供給して放音させる。
【００１９】
また、ＣＰＵ２１では、ベースバンド処理部１９から供給される制御データに基づいて通信チャンネルの設定，切換などの通信制御を行う。
【００２０】
又、送話器１３が出力する音声信号を、アンプ２３を介して音声処理部２０に供給し、送信用の音声処理を行った後、ベースバンド処理部１９に供給してベースバンド処理を行って送信用の音声信号とし、この送信用の音声信号を変復調部１８に供給し、送信用の変調処理を行う。そして、変調信号を送信部２４に供給し、所定の送信チャンネルの送信信号とし、アンテナ共用器１６を介してこの送信信号をアンテナ１１に供給して無線送信させる。
【００２１】
また、ＣＰＵ２１には操作部２５が接続してあり、操作部２５を構成するキーの操作により、ＣＰＵ２１が電話機としての各種動作制御を行う。例えば電話の短縮登録、セッティング等の操作キー群が配設されている。又、２６はＣＰＵ２１が通常有するＲＯＭ，ＲＡＭ等のメモリで通信履歴データ等も記憶される。更に、本体ケーシング２とカードケーシング３とで情報信号の授受を無線（光通信）で行うために本体ケーシング２側に発光素子２７及び受光素子２８が設けられ、本体ケーシング２内には１次又は２次電池の如き電圧源２９が内蔵されている。
【００２２】
カードケーシング３内にはマイクロコンピュータ等の制御部（以下ＣＰＵと記す）３０を有し、ＣＰＵ３０には操作部６が設けられる。この操作部は例えばテンキー等で発呼時の電話番号の入力操作や入力された電話番号の発振処理が行なわれる。又、液晶等の大型の表示部３１も必要に応じて取り付け可能と成されている。
【００２３】
更にＣＰＵ３０は本体ケーシング２側の発光素子２７からの光情報信号を受光する受光素子３３及び本体ケーシング２側の受光素子２８に光情報信号を送る発光素子３４が配設されて、ＣＰＵ２１及び３０間で光通信（又は有線通信）が行なえる様に成されている。尚、カードケーシング３内には１次又は２次電池の如き電圧源３２が収納可能と成されている。
【００２４】
以下、本例の携帯用電話装置として無線電話機の一実施例を図１乃至図５によって説明する。図１乃至図５は本例のカードケーシングの操作手順を示す構成図である。
【００２５】
図１乃至図５に於いて、携帯用電話装置１５の本体ケーシング２は合成樹脂等で略々偏平な長方形状の箱体に形成され、その左右端は半円形状部５０Ｌ及び５０Ｒと成され、左右半円形状部５０Ｌ及び５０Ｒ内には受話器８及び送話器１３が配設されている。尚、この左右半円形状部５０Ｌ及び５０Ｒのアーチ状平面部に形成された透孔９及び１４は送受話器用の放音孔である。
【００２６】
本体ケーシング２の左右半円形状部５０Ｌ及び５０Ｒを除いて図２乃至図４に示す様に１段下がった平面が長方形状の溝部と成され、該溝部が第１の操作部２５を構成する登録キー等の操作キー群が配列されるパネル５１と成されている。
【００２７】
パネル５１と左右半円形状部５０Ｌ及び５０Ｒとの境界を構成する図３及び図４に示す様な段部３５Ｌ及び３５Ｒの中央には後述するもカードケーシング３の摺動ピン４１Ｌ及び４１Ｒを案内する案内溝３６Ｌ及び３６Ｒが前後方向（パネルの短辺方向）に形成され、更に左半円形状部５０Ｌの段部３５Ｌと対向して発光素子２７及び受光素子２８が配設されている。
【００２８】
次にカードケーシング３の構成を説明する。このカードケーシング３は上述の本体ケーシング２に形成した段部３５Ｌ及び３５Ｒ間に構成されるパネル５１と対向し、段部３５Ｌ及び３５Ｒ間に嵌挿可能に合成樹脂等で略々長方形状に偏平な箱形に形成されている。
【００２９】
このカードケーシング３内には図１１で説明したＣＰＵ３０，操作部６，表示部（以下ＬＣＤと記す）３１，受光素子３３及び発光素子３４を有している。
【００３０】
カードケーシング３の上（表）側は図１に示す様にカバー部３７と成され、本体ケーシング２のパネル５１に形成された操作部２５内のキー群及び後述するもカードケーシング３の下（裏）側に配設したＬＣＤ３１等を保護する機能を有し、非使用時、即ち、携帯時に鞄やポケットに入れた状態でもキー群が露出していないので誤動作を防止可能となる。
【００３１】
カードケーシング３の下（裏）側のパネル３８には図３乃至５に示す様にＬＣＤ３１及びテンキー４９やセンドキー３９、エンドキー４０等の操作キー群から成る操作部６が配設されている。
【００３２】
又、カードケーシング３の図１で手前側には枢軸となる摺動ピン４１Ｌ及び４１Ｒが植立され、段部３５Ｌ及び３５Ｒに形成した案内溝３６Ｌ及び３６Ｒの端部に形成した終端の枢軸部で回動自在に枢着されている。
【００３３】
更に、本体ケーシング２の左半円形状部５０Ｌに図３で説明した様に内蔵させた発光素子２７と対向するカードケーシング３の左側面一方の端部に受光素子３３を配設し、本体ケーシング２側の受光素子２８に対向するカードケーシング３の左側面の他方の端部に発光素子３４を配設する様に成されている。尚、アンテナ１１は本体ケーシング２に内蔵されている。
【００３４】
上述の構成での本例の動作を図１乃至図５によって説明する。
図１は本例の携帯無線電話装置の非使用（非通話）時の斜視図を示すものであり本体ケーシング２のパネル５１はカードケーシング３のカバー部３７で覆われた状態にあり携帯に便なる様に成されている。
【００３５】
この状態で、図１のカバー部３７の後側面を矢印Ａの様に上動させるとカバー３７は前側面側の左右ピン４１Ｌ及び４１Ｒの嵌挿された枢軸部を中心に図２に示す様に回転してカードケーシング３は起立される。
【００３６】
この状態で、図２のカバー３７の裏側（パネル３８）を矢印Ｂの様に押圧すると図３に示す様に摺動ピン４１Ｌ及び４１Ｒを中心に本体ケーシング２に対し、カードケーシング３が反転して、該カードケーシング３の裏面側のパネル３８が上面に成る。この状態では本体ケーシング２のパネル５１は全開状態となり、電話番号の短縮登録等の各種操作を操作部２５の各種キーを用いて行なうことが出来る。この場合、本体側の受光素子２８の配置位置及びカードケーシング３の受光素子３３の位置にホトインタラプタ等を配置すれば本体ケーシング２とカードケーシング３間で光信号データの授受が可能となって、ＬＣＤ３１へ登録データ等を表示可能となる。
【００３７】
次に図３に示す様に反転されたカードケーシング３を矢印Ｃ方向に押圧することでカードケーシング３の摺動ピン４１Ｌ及び４１Ｒは段部３５Ｌ及び３５Ｒの左右の案内溝３６Ｌ及び３６Ｒに沿って摺動されて図４の様にパネル５１をカードケーシング３で覆って、閉じる様になる。
【００３８】
図４の状態で更にカードケーシング３を矢印Ｄ方向に押圧すれば左右の摺動ピン４１Ｌ及び４１Ｒは本体ケーシング２の段部３５Ｌ及び３５Ｒに形成した案内溝３６Ｌ及び３６Ｒの後方端部に係止されて停止し、図５に示す様に通話可能状態にカードケーシング３が保持される。
【００３９】
この様な本例の携帯用情報端末装置では通話時に従来の様にカードケーシング（サブケーシング）をヒンジ部で垂下させて大きくすることがないのでケーシングが不必要に大きくならず、通話時にヒンジ部でカードケーシングが折れ、或いは離脱する恐れはない。又、図３で示す開蓋状態では短縮等の番号を登録する場合に利用され、図５で示す場合は電話の授受を行なう場合に利用されるので、登録操作等と通話操作が区別されるために兼用キー等を用いずに明確化出来る。更に、通話時には図５に示す様にカードケーシン３が完全に本体ケーシング２の溝部であるパネル５１の操作部２５を覆うようにカバーされるためカードケーシング３が振れることもなく、更に、又カードケーシング３の表裏を操作部や表示部として有効に利用可能で本体ケーシング２の同一平面内に置かれた送話器１３及び受話器８でコンパクトに通話を行なえる効果がある。
【００４０】
図６及び図７は本例の他の実施例を示すものであり、カードケーシング３の図１で示すカバー部３７側に大型ＬＣＤ等の表示部を配設したものである。カードケーシング３のパネル３８側に設けられたＬＣＤ３１は通話時の電話番号や、通話時間等の表示等を行なう様に成したが、大型ＬＣＤ４２では電子メール等のテキストデータ、手書きデータ、画像データの授受を行なう場合の表示に用いる。尚、カードケーシング３に設けられたキー４３はスクロール用のキーであり、文字数の多いメッセージ等のスクロール等に用いられる。
【００４１】
この様な大型ＬＣＤ４２及びスクロールキー４３を有するカードケーシング３は図７の様に起立させた後に図３乃至図５で説明したと同様に反転、摺動させて図５の状態と成して通話時の音声データの授受を行なう様に成すことが出来る。
【００４２】
図８乃至図１０は本例の携帯用情報端末装置の更に他の実施例を示すものである。図８は本体ケーシング２の左右段部３５Ｌ及び３５Ｒで形成された凹状のパネル５１にタッチパネルを配設したカードケーシング３を着脱自在に枢着した場合の着脱方法の説明図である。
【００４３】
図８に於いて、本例に用いるカードケーシング３は大型ＬＣＤ４２をタッチパネル４４と成したものでタッチパネル４４上に表示部４５と成る部分を残し、ワンタッチダイヤリングカード４７が挿入可能な開口部４６を有する枠体４８を一方の上面に有し、他方の下面には図３乃至図５で説明したと同様のテンキー等の操作部６が設けられている。この様なカードケーシングは複数種類が製作され、例えば図６に示す大型ＬＣＤ４２を有するカードケーシング３を取り外して、図８に示すタッチパネル付のカードケーシング３の摺動ピン４１Ｌ及び４１Ｒを案内溝３６Ｌ及び３６Ｒに挿入してワンタッチで挿着出来る様に成されている。
【００４４】
この様に本体ケーシング２に挿着したカードケーシング３は図９の状態からカードケーシング３の後部側壁を上動させることで図１０の様に起立し、以下図３乃至図５で説明したと同様に通話状態に保持可能となる。
【００４５】
上述の図６の構成では小型の携帯用電話装置中に大型のＬＣＤが配置可能となり、大量の電子メールの各種データはスクロールを繰り返すことなく明確に見ることが出来る。更に図９に示すタッチパネル構成では操作が解り易く、使い易い携帯用電話装置が得られる。
【００４６】
【発明の効果】
本発明によれば情報の授受時にカードケーシングを開蓋する必要がなく、又、ヒンジ部等で垂下させた不安定な状態で情報の授受を行なう必要もないので、カードケースを破損させることなく、全体にコンパクトに構成することの出来る携帯用電話装置が得られる
【図面の簡単な説明】
【図１】  本発明の携帯用電話装置の非使用状態の構成図である。
【図２】  本発明の携帯用電話装置のカードケーシング起立時の構成図である。
【図３】  本発明の携帯用電話装置のカードケーシング反転時の構成図である。
【図４】  本発明の携帯用電話装置のカードケーシング摺動時の構成図である。
【図５】  本発明の携帯用電話装置の通話状態の構成図である。
【図６】  本発明の他の携帯用電話装置の非使用状態の構成図である。
【図７】  本発明の他の携帯用電話装置のカードケーシング起立時の構成図である。
【図８】  本発明の更に他の携帯用電話装置のカードケーシングの着脱方法説明図である。
【図９】  本発明の更に他の携帯用電話装置の非使用状態の構成図である。
【図１０】  本発明の更に他の携帯用電話装置のカードケーシング起立時の構成図である。
【図１１】  本発明の携帯用電話装置の系統図である。
【図１２】  従来の携帯用電話装置の構成図である。
【図１３】  従来の携帯用電話装置の通話状態の構成図である。
【符号の説明】
２ 本体ケーシング
３ カードケーシング
６，２５ 操作部
１５ 携帯用電話装置
３１ ＬＣＤ
３８，５１ パネル
４１Ｌ，４１Ｒ 摺動ピン
【図１】
0003700200.tif 000002
【図２】
0003700200.tif 000003
【図３】
0003700200.tif 000004
【図４】
0003700200.tif 000005
【図５】
0003700200.tif 000006
【図６】
0003700200.tif 000007
【図７】
0003700200.tif 000008
【図８】
0003700200.tif 000009
【図９】
0003700200.tif 000010
【図１０】
0003700200.tif 000011
【図１１】
0003700200.tif 000012
【図１２】
0003700200.tif 000013
【図１３】
0003700200.tif 000014